(57)【要約】【課題】引掛けベルトの長さ調節が容易かつ迅速に行えるスロートガードを提供する。【解決手段】球技用の顔面保護マスクの下端部に吊下げられて喉の前面を保護するスロートガードに於て、喉保護用ガード本体１の上端縁に一対の引掛けベルト３，３を縫着し、引掛けベルト３，３に、面状ファスナーの雄部２ｂ，２ｂを形成し、かつ、ガード本体１の裏面に、面状ファスナーの雌部２ａが略全面にわたって形成されている。【選択図】図２
2015006240.tif 000002
【特許請求の範囲】
【請求項１】
球技用の顔面保護マスク（Ｍ）の下端部に吊下げられて喉の前面を保護するスロートガードに於て、
喉保護用ガード本体（１）の上端縁に一対の引掛けベルト（３）（３）を縫着し、該引掛けベルト（３）（３）に、面状ファスナーの雄部（２ｂ）（２ｂ）を形成し、かつ、上記ガード本体（１）の裏面に、面状ファスナーの雌部（２ａ）が略全面にわたって形成されたことを特徴とするスロートガード。
【請求項２】
上記ガード本体（１）は、表皮（４）と、板状発泡体（６）と、裏面側に上記雌部（２ａ）を有する裏生地（８）とを、順次積層し、外周縁部に包囲状の縁巻部（９）が縫着され、表て面側に、硬質板片（５）が縫着されている請求項１記載のスロートガード。
【発明の詳細な説明】
【技術分野】
【０００１】
本発明は、スロートガードに関する。
【背景技術】
【０００２】
一般的に、野球やソフトボール等の球技に於て、捕手や審判員が、喉部へのボールの直撃を避けるために、顔面保護用マスクの下端部に吊り下げて使用するスロートガードが提案されている（特許文献１参照）。
特許文献１記載のスロートガードは、マスクの下端部にバンドで連結され、喉部前面をガード本体で覆うように吊り下げて、スロートガードにボールが当たった際には、マスクと胸部に装着したプロテクターの上端部との間にガード本体が橋掛け状態となり、ボールの衝撃から喉部を保護する。
【先行技術文献】
【特許文献】
【０００３】
【特許文献１】実公平３−３７６４８号公報
【発明の概要】
【発明が解決しようとする課題】
【０００４】
しかし、特許文献１記載のスロートガードは、バンドの長さ調節が出来なかった。即ち、スロートガードのバンドがマスク下端部に連結されると、常に同じ位置で吊り下げられる為、使用者の体格の変化や好みに応じて適度な吊下位置で使用することが出来なかった。使用者の体格によっては、スロートガードの吊下長さ寸法が短すぎる、又は、長すぎる場合があり、例えば、スロートガードの吊下長さ寸法が短すぎると、ガード本体にボールが当たった際、プロテクター上端部と橋掛け状態とならずに、ボールの衝撃を全て喉部で受けて、使用者が致命的なダメージを負う虞れがあった。一方、スロートガードの吊下長さ寸法が長すぎると、プレー中に、使用者が下を向いて俯いた際、スロートガードの下端部が、胸部プロテクターに突き当たって、プレーの妨げになるという欠点があった。
【０００５】
そこで、スロートガードの裏面側に、ベルトを無段階に係止するバックル（係止金具）を付設したものが提案されているが、ボールが当たった際、ボールの衝撃によってバックルが喉部に押し付けられて、皮膚を傷つける虞れがあり、危険であった。また、マスクを交換する場合には、スロートガードを取外して付け替える作業が必要となるが、バックルにバンドを挿通して係止するのが面倒で、着脱に手間が掛かるという欠点があった。
【０００６】
そこで、本発明は、引掛けベルトの長さ調節が容易かつ迅速に行えるスロートガードを提供することを目的とする。
【課題を解決するための手段】
【０００７】
本発明に係るスロートガードは、球技用の顔面保護マスクの下端部に吊下げられて喉の前面を保護するスロートガードに於て、喉保護用ガード本体の上端縁に一対の引掛けベルトを縫着し、該引掛けベルトに、面状ファスナーの雄部を形成し、かつ、上記ガード本体の裏面に、面状ファスナーの雌部が略全面にわたって形成されたものである。
また、上記ガード本体は、表皮と、板状発泡体と、裏面側に上記雌部を有する裏生地とを、順次積層し、外周縁部に包囲状の縁巻部が縫着され、表て面側に、硬質板片が縫着されているものである。
【発明の効果】
【０００８】
本発明のスロートガードによれば、引掛けベルトの長さ調整が容易に行えて、顔面保護マスクの下端部と喉保護用ガード本体の上下間隔寸法を調節でき、使用者の体格や好みに自在に対応して、喉部を確実に保護できる。着脱が非常に容易であり、かつ迅速に行うことができる。また、喉部に押し付けられても皮膚を傷つけることがなく、安全性が高い。マスクを交換する際、マスクの下端部と喉保護用ガード本体の上下間隔寸法を調節自在である為、形状の相違する複数種類のマスクに対応できる。
【図面の簡単な説明】
【０００９】
【図１】本発明の実施の一形態を示す正面図である。
【図２】本発明の実施の一形態を示す背面図である。
【図３】本発明の実施の一形態を示す側面図である。
【図４】本発明の使用状態を示す正面図である。
【図５】図４のＡ−Ａ断面図である。
【図６】本発明の他の使用状態を示す正面図である。
【図７】図６のＢ−Ｂ断面図である。
【発明を実施するための形態】
【００１０】
以下、実施の形態を示す図面に基づき本発明を詳説する。
図４と図６に示すように、本発明のスロートガードは、球技用の顔面保護マスクＭの下端部に、引掛けベルト３，３を挿通して折返し状として吊り下げて（ぶら下げて）、ボール等から喉の前面を保護するものである。即ち、本発明のスロートガードは、野球、ソフトボール等のスポーツ（球技）の審判用及び選手用として使用され、マスクＭを装着することで、喉の前面側を被覆して保護する。
【００１１】
図１〜図３に示すように、本発明のスロートガードは、喉保護用ガード本体１の上端縁に一対の引掛けベルト３，３を縫着している。引掛けベルト３，３に、面状ファスナーの雄部２ｂ，２ｂを形成し、かつ、ガード本体１の裏面に、面状ファスナーの雌部２ａが略全面にわたって形成されている。
【００１２】
図５と図７に示すように、ガード本体１は、表皮４と、ＰＥ又はＰＵ、ＥＶＡ等から成る板状発泡体６と、裏面側に雌部２ａを有する裏生地８とを、順次積層し、外周縁部に包囲状の縁巻部９が縫着されている。言い換えると、表皮４と、裏生地８と、表皮４と裏生地８の間にサンドイッチ状に挟まれた板状発泡体６とが、縁巻部９及び縫着糸にて一体状に縫製されている。ガード本体１は、表て面側が凸となるように弯曲状に形成されている。なお、「裏面」とは、図４に示すマスクＭを装着した状態に於て、使用者の喉と対向する面をいい、「表て面」とは、その反対の面をいう。また、本発明に於て、「略全面」とは、ガード本体１の裏面に於て、外周縁の縁巻部９を除く全ての部分を示し、即ち、ガード本体１の裏面側の裏生地８の内、縁巻部９によって被覆されていない部分には、面状ファスナーの雌部２ａが形成されている（図２参照）。
引掛けベルト３の一端３ａには、Ｊ字状の突起から成る面状ファスナーの雄部２ｂを、多数有する帯状部材２０が、裏面に縫着又は接着されている。引掛けベルト３の他端３ｂは、表皮４と裏生地８と板状発泡体６、及び、縁巻部９と一体状に（同一の）縫着糸によって縫製され、ガード本体１の上端縁に強固に縫着されている。
【００１３】
また、ガード本体１の表て面側には、硬質板片５が縫着されている。
硬質板片５は、皿状に形成され、材質としては硬質樹脂が用いられている。硬質板片５は、表て面側に突出状の突隆部７が形成され、かつ、外周縁部に沿って凹溝部１５が形成されている。凹溝部１５は、底部に縫着糸を挿通するための多数の子孔が貫設され、この子孔に縫着糸を順次挿通して、表皮４と板状発泡体６と裏生地８と一体状に縫着されている。なお、硬質板片５は、射出成形された熱可塑性エラストマー（ＴＰＥ）をもって構成するも好ましい。また、突隆部７の内側に複数のリブを設けても良く（図示省略）、この構成によれば、硬質板片５の耐衝撃性を向上できる。
【００１４】
表皮４は、合成皮革、人工皮革、ポリエステル等の合成樹脂から成り、図示省略するが、硬質板片５と同質の硬質樹脂やＴＰＥ等を用いて、射出成形によって一体成形したものであっても良い。
裏生地８は、ループ状突起から成る面状ファスナーの雌部２ａを、裏面全面に有するパイル状の布地をもって構成される。
板状発泡体６は、クッション性を有し、ガード本体１にボールが衝突した際、衝撃を吸収して和らげるように構成されている。
【００１５】
上述した本発明のスロートガードの使用方法（作用）について説明する。
図４と図５に示すように、顔面保護マスクＭの下端部からガード本体１の上端縁までの上下間隔寸法ｄを小さく設定し、吊下長さ寸法Ｌ１を比較的短くする場合、引掛けベルト３，３の一端３ａ，３ａを、ガード本体１の下端近傍まで引っ張って、面状ファスナーの雄部２ｂ，２ｂと雌部２ａを係着させる。
【００１６】
次に、図６と図７に示すように、顔面保護マスクＭの下端部からガード本体１の上端縁までの上下間隔寸法Ｄを（上記上下間隔寸法ｄより）大きくし、吊下長さ寸法Ｌ２を（上記吊下長さ寸法Ｌ１よりも）長く変更する場合には、引掛けベルト３，３の一端３ａ，３ａを、ガード本体１の裏面から取外し、ガード本体１の上端近傍にて、面状ファスナーの雄部２ｂ，２ｂと雌部２ａを係着させる。このようにして、引掛けベルト３，３の長さ調整を行って、顔面保護マスクＭとガード本体１を極小の上下間隔寸法ｄとした使用状態から任意の大きさの上下間隔寸法Ｄの使用状態に切換え可能とし、吊下長さ寸法Ｌ１，Ｌ２を使用者の体格や好みに応じて変更することができる。また、面状ファスナーの雄部２ｂ，２ｂを、ガード本体１の裏面の雌部２ａに略全面にわたって取り付けでき、無段階での長さ調整が可能であり、かつ、着脱が容易である。
【００１７】
なお、本発明は、設計変更可能であって、例えば、面状ファスナーの雄部２ｂをガード本体１の裏面に形成し、雌部２ａを引掛けベルト３，３の一端３ａ，３ａに形成したものであって良い（図示省略）。また、ガード本体１の輪郭形状、及び、硬質板片５の形状は、本発明の要旨を逸脱しない範囲で、設計変更可能である。
【００１８】
以上のように、本発明に係るスロートガードは、球技用の顔面保護マスクＭの下端部に吊下げられて喉の前面を保護するスロートガードに於て、喉保護用ガード本体１の上端縁に一対の引掛けベルト３，３を縫着し、引掛けベルト３，３に、面状ファスナーの雄部２ｂ，２ｂを形成し、かつ、ガード本体１の裏面に、面状ファスナーの雌部２ａが略全面にわたって形成されたので、引掛けベルト３，３の長さ調整が容易に行えて、顔面保護マスクＭの下端部と喉保護用ガード本体１の上下間隔寸法を調節でき、使用者の体格や好みに自在に対応して、喉部を確実に保護できる。着脱が非常に容易であり、かつ迅速に行うことができる。また、ガード本体１の裏面に形成された面状ファスナーの雌部２ａが、喉部に押し付けられても皮膚を傷つけることがなく、安全性を向上できる。マスクＭを交換する際、マスクＭの下端部とガード本体１の上下間隔寸法を調節自在である為、形状の相違する複数種類のマスクＭに対応できる。
【００１９】
また、ガード本体１は、表皮４と、板状発泡体６と、裏面側に（面状ファスナーの）雌部２ａを有する裏生地８とを、順次積層し、外周縁部に包囲状の縁巻部９が縫着され、表て面側に、硬質板片５が縫着されているので、ガード本体１の裏面に於て、縁巻部９を除く略全面にわたって、面状ファスナーの雄部２ｂを雌部２ａに取り付けでき、引掛けベルト３，３が無段階で長さ調整可能であって、かつ、容易に着脱できる。硬質板片５によって、ボールの衝撃から喉部を確実に保護できる。板状発泡体６のクッション性によって、ボールの衝撃を和らげて、ボールの衝撃から喉部を確実に保護できる。
【符号の説明】
【００２０】
１  ガード本体
２ａ  面状ファスナーの雌部
２ｂ  面状ファスナーの雄部
３  引掛けベルト
４  表皮
５  硬質板片
６  板状発泡体
８  裏生地
９  縁巻部
Ｍ  顔面保護マスク
【図１】
2015006240.tif 000003
【図２】
2015006240.tif 000004
【図３】
2015006240.tif 000005
【図４】
2015006240.tif 000006
【図５】
2015006240.tif 000007
【図６】
2015006240.tif 000008
【図７】
2015006240.tif 000009